(57)【要約】【課題】かご操作盤周りの意匠性を高め、利用者が背後の様子を確認することが可能なエレベータの防犯装置を提供する。【解決手段】本発明の一実施形態によれば、かご１０と、このかご１０内のプレート１２、このプレート１２上の操作ボタン１３、プレート１２の裏面側に設けられた動作制御基板１４および動作制御基板１４上のスピーカ１５を有するかご操作盤１６と、このかご操作盤１６に成人女性の平均目線高さと同じ程度の高さに設けられ、プレート１２と面一なフラットな鏡面およびスピーカ１５からの音抜き用の貫通穴を有する広角ミラー１９と、を備え、この広角ミラー１９はかご操作盤１６の前方の乗客へこの乗客背後のかご１０内の広角鏡像を映すことを特徴とするエレベータの防犯装置が提供される。【選択図】図１
2017030901.tif 000002
【特許請求の範囲】
【請求項１】
かごと、
このかご内のプレート、このプレート上の操作ボタン、前記プレートの裏面側に設けられた動作制御基板および前記動作制御基板上のスピーカを有するかご操作盤と、
このかご操作盤に成人女性の平均目線高さと同じ程度の高さに設けられ、前記プレートと面一な鏡面および前記スピーカからの音抜き用の貫通穴を有する広角ミラーと、を備え、
この広角ミラーは前記かご操作盤の前方の乗客へこの乗客背後の前記かご内の広角鏡像を映すことを特徴とするエレベータの防犯装置。
【請求項２】
前記広角ミラーは、前記鏡面を開閉する扉、シャッター又はカバーを有することを特徴とする請求項１記載のエレベータの防犯装置。
【請求項３】
前記広角ミラーは、ハーフミラーであることを特徴とする請求項１記載のエレベータの防犯装置。
【請求項４】
前記広角ミラーは、鏡像又は予め保持する映像データの再生による映像を切替え表示するミラーディスプレイであることを特徴とする請求項１記載のエレベータの防犯装置。
【請求項５】
前記広角ミラーは矩形であり、前記貫通穴を前記鏡面の縁辺部に複数配置して形成したことを特徴とする請求項１記載のエレベータの防犯装置。
【請求項６】
前記広角ミラーは矩形であり、前記貫通穴を前記鏡面の中央に複数配置して形成し、前記鏡面の裏面側の上端部および下端部が両面テープによってそれぞれ前記かご操作盤に貼設されたことを特徴とする請求項１記載のエレベータの防犯装置。
【請求項７】
前記広角ミラーの取付け高さは、かご床から１００〜１７０ｃｍであることを特徴とする請求項１記載のエレベータの防犯装置。
【請求項８】
前記広角ミラーは、前記鏡面に保護フィルムを設けたことを特徴とする請求項１記載のエレベータの防犯装置。
【請求項９】
前記広角ミラーは、前記かご操作盤の配色に応じて着色されたことを特徴とする請求項１記載のエレベータの防犯装置。
【請求項１０】
前記広角ミラーは、前記かご操作盤に施された意匠に応じた外形を有することを特徴とする請求項１記載のエレベータの防犯装置。
【発明の詳細な説明】
【技術分野】
【０００１】
本発明はエレベータの防犯装置に関する。
【背景技術】
【０００２】
従来、かご内の防犯目的のため、かご内運転盤に小型の鏡を設けたエレベータが知られている（例えば特許文献１参照）。また、かご内の袖壁ボックス内に防犯カメラを垂直にして配置し、袖壁の開口にスモークガラスを設け、防犯カメラの直下の鏡によりカメラ視線の向きを替えるようにしたエレベータの防犯装置が知られている（特許文献２参照）。
【先行技術文献】
【特許文献】
【０００３】
【特許文献１】特開平９−２７８３２７号公報
【特許文献２】特開２００７−１８６３２９号公報
【非特許文献】
【０００４】
【非特許文献１】製造産業局  デザイン・人間生活システム政策室、「size-JPN 2004-2006  調査結果について  （別紙）57項目平均値データ」、平成１９年１０月１日、経済産業省、［平成２７年５月１７日検索］、インターネット〈URL：http://warp.ndl.go.jp/info:ndljp/pid/286890/www.meti.go.jp/press/20071001007/004_bessi.pdf〉
【発明の概要】
【発明が解決しようとする課題】
【０００５】
しかし、かごに乗車の利用者がかご操作盤の前に立った際、利用者は背後の様子を確認できないため、利用者によっては不安感を覚えることがある。
【０００６】
本発明はこのような課題に鑑み創案されたものであり、かご操作盤周りの意匠性を高め、利用者は背後の様子を確認することが可能なエレベータの防犯装置を提供することを目的とする。
【課題を解決するための手段】
【０００７】
このような課題を解決するため、本発明の一実施形態によれば、かごと、このかご内のプレート、このプレート上の操作ボタン、前記プレートの裏面側に設けられた動作制御基板および前記動作制御基板上のスピーカを有するかご操作盤と、このかご操作盤に成人女性の平均目線高さと同じ程度の高さに設けられ、前記プレートと面一な鏡面および前記スピーカからの音抜き用の貫通穴を有する広角ミラーと、を備え、この広角ミラーは前記かご操作盤の前方の乗客へこの乗客背後の前記室内の広角鏡像を映すことを特徴とするエレベータの防犯装置が提供される。
【０００８】
本発明によれば、かご操作盤周りの意匠性を高めることができ、例えばかご操作盤の操作中などにおいて利用者は自分の背後の様子を確認することが可能になる。
【図面の簡単な説明】
【０００９】
【図１】本発明の一実施形態に係るエレベータの防犯装置を含むかご内外観を示す図である。
【図２】本発明の一実施形態に係るエレベータの防犯装置のかご操作盤の正面図である。
【図３】本発明の一実施形態に係るエレベータの防犯装置に用いられるかご操作盤の部分的な縦断面図である。
【図４】本発明の一実施形態に係るエレベータの防犯装置に用いられる広角ミラーの正面図である。
【図５】（ａ）は本発明の一実施形態に係るエレベータの防犯装置に用いられる広角ミラーの横断面図であり、（ｂ）は図５（ａ）中の広角ミラーの上面図である。
【発明を実施するための形態】
【００１０】
以下、本発明の実施の形態に係るエレベータについて、図１乃至図５参照しながら説明する。尚、各図において同一箇所については同一の符号を付すとともに、重複した説明は省略する。
【００１１】
（第１の実施形態）
図１は本発明の一実施形態に係るエレベータの防犯装置を含むかご内外観を示す図である。本実施形態に係るエレベータの防犯装置は、かご１０と、このかご１０内を向くプレート面１１を持つフェイスプレート１２（プレート）、フェイスプレート１２上の複数の操作ボタン１３、フェイスプレート１２の裏面側に設けられた動作制御基板１４およびこの動作制御基板１４上のスピーカ１５を有するかご操作盤１６とを備えている。
【００１２】
図２は本実施形態に係るエレベータの防犯装置のかご操作盤の正面図である。同図において図１中の符号と同じ符号を付された要素はそれらと同じ要素を表す。更に本実施形態に係るエレベータの防犯装置は、このかご操作盤１６に成人女性の平均目線高さと同じ程度の高さに設けられ、プレート面１１と面一な鏡面１７およびこの鏡面１７に開口しスピーカ１５からの音抜き用の複数の貫通穴１８を有する広角ミラー１９と、を備え、この広角ミラー１９はかご操作盤１６の前方の乗客へこの乗客背後の室内の広角鏡像を映すようにしている。
【００１３】
かご１０（図１）は出入口２０、この出入口２０を開閉するかごドア２１、２２を有する。かご奥から出入口２０を見て左右には、左側板２３、右側板２４が設けられており、出入口２０の右端及び右側板２４間にリターンパネル２５が設けられている。このリターンパネル２５には縦長の開口部が形成されている。
【００１４】
かご操作盤１６はＣＯＰ（ｃａｒ ｏｐｅｒａｔｉｏｎ ｐａｎｅｌ）であり、リターンパネル２５の開口部に嵌め込まれている。図２のかご操作盤１６の背面側には、例えば位置表示制御基板２６、動作制御基板１４及び操作ボタン制御基板２７が設けられている。位置表示制御基板２６は、表示部２９にかご位置や走行方向矢印を表示させる回路基板である。動作制御基板１４は図示しないエレベータ制御盤との間で信号を収受するための回路基板である。操作ボタン制御基板２７は、各操作ボタン１３の裏側にＬＥＤ（ｌｉｇｈｔ ｅｍｉｔｔｉｎｇ ｄｉｏｄｅ）などの光源を有し、操作ボタン１３の押下により光源を発光させ、操作ボタン１３を照光状態とする回路基板である。フェイスプレート１２の室内側には、表示部２９と、フラットな鏡面を持つ広角ミラー１９と、それぞれ数字、戸開、戸閉等のボタントップを持つ複数の操作ボタン１３とが列設されている。
【００１５】
図３は本実施形態に係るエレベータの防犯装置に用いられるかご操作盤１６の部分的な縦断面図である。同図は図２中のＡＡ´線に沿う断面構造の一例を示しており、動作制御基板１４を表示している。既述の符号はそれらと同じ要素を表す。動作制御基板１４は、ボルト又はボスなどのスペーサ３８によってフェイスプレート１２の裏面に起立姿勢で固定されている。この動作制御基板１４上にスピーカ１５が設けられており、図示しないアンプの増幅駆動によって音声アナウンスを報知する。スピーカ１５の真向かいに広角ミラー１９の貫通穴１８が配置され、貫通穴１８からスピーカ１５の音がかご１０の室内に抜けるようになっている。また、フェイスプレート１２にはこのフェイスプレート１２の裏面側からケース２８が取付けられており、これらのフェイスプレート１２及びケース２８によって、位置表示制御基板２６、動作制御基板１４及び操作ボタン制御基板２７が収容されている。
【００１６】
図４は広角ミラー１９の正面図である。図５（ａ）は図４のＢＢ´線に沿う広角ミラー１９の横断面図である。図５（ｂ）は図５（ａ）中のＣＣ´方向から見た広角ミラー１９の上面図である。これらの図中、既述の符号はそれらと同じ要素を表す。
【００１７】
図５（ａ）の広角ミラー１９はフレネルレンズ型のミラーである。平面状のプラスチック製の透明板３０の上面及び下面のうちの下面側に図５（ｂ）のように複数の環状及び同心円状の傾斜溝３１が形成されている。
【００１８】
傾斜溝３１の傾斜角度は同心円中心から半径方向外側に向かって順次大きい。傾斜溝３１の表面には金属膜３２が蒸着又はメッキによって積層され、この金属膜３２には樹脂層３３が塗布されている。樹脂層３３により、透明板３０の下面側には多段の凹凸面が形成されている。この透明板３０は下面側において剛性の高い金属板３４により支持されており、これらの透明板３０及び金属板３４はそれぞれの両端部において枠体３５によって挟持固定されている。
【００１９】
また、透明板３０の両面のうち、金属膜３２及び樹脂層３３が施されていない上面側は、金属膜３２を透視可能な鏡面が形成されている。光が透明板３０の上面から透明板３０内へ入射すると、透過光は金属膜３２によって反射され、反射光は再び透明板３０内から空気層へ出射されるようになっている。
【００２０】
また、図３〜図５に示すように、広角ミラー１９は複数の貫通穴１８を、鏡面１７の中央に配置して形成し、この鏡面１７の裏面側の上端部および下端部はブラケット３６及び両面テープ３７によってそれぞれかご操作盤１６に貼設されている。貫通穴１８が集中している部分を避けた上下部分で広角ミラー１９は簡易な構造で貼設されている。
【００２１】
広角ミラー１９の取付け高さは、かご床から１００〜１７０ｃｍにしてもよい。成人女性の身長を考慮し、この取付け高さは好ましくは１３０〜１８０ｃｍであってもよい。
【００２２】
次に上述の構成の本実施形態に係るエレベータの防犯装置の動作について説明する。管理者は予めかご操作盤１６に成人女性の平均目線程度の高さに広角ミラー１９を設置する。成人女性の平均目線程度の高さの値として、経済産業省の「size-JPN 2004-2006  調査結果について  （別紙）57項目平均値データ」の「外眼角高」のサンプル値及び「身長」のサンプル値をそれぞれ表１に示す。
【表１】
2017030901.tif 000003
【００２３】
ここで「外眼角高」とは、「床面から外眼角点までの鉛直距離」を言う。「身長」とは、「床面から頭頂点までの 鉛直距離」を言う。日本人の２０〜２４歳の成人女性の「外眼角高」は１４７０ｍｍであり、靴を履いた状態では、成人女性の平均目線程度の高さは「外眼角高」の列に表示の値よりも大きい値を示す。建物のエレベータ管理者は、建物に出入りし、又は入居する女性の年齢層に応じて例えば表１のサンプル値を元に広角ミラー１９の取付け高さを決定し、広角ミラー１９を取付ける。
【００２４】
そうして広角ミラー１９が取付けられたかご１０（図１）に成人女性の乗客が乗車すると、乗客はかご操作盤１６により行先階を選択する。かご１０の戸閉、走行、着床、戸開の際、広角ミラー１９は室内の様子を映し出す。乗客はかご操作盤１６の前方に立った状態で広角ミラー１９を見ることで、乗客背後の鏡像を確認することができる。乗客は広角ミラー１９により背後を振り返らずに、かご１０の室内全休の様子を確認することができる。利用者（特に女性）に安心感を与えることができる。仮に犯罪をしようとする者が女性の後を追ってかご１０に乗車しても、後から入った者自身の姿が女性に見られていることをこの者に対して明示的に意識させることができる。従って、本実施形態に係るエレベータの防犯装置によれば、犯罪の抑止効果を奏することができる。
【００２５】
意匠的には広角ミラー１９はかご操作盤１６のフェイスプレート１２と面一であるが、広角ミラー１９の機能により乗客は室内を広角的に見渡せる。かご操作盤１６前に立った際、乗客はこの乗客から見て室内の左奥及び右奥の様子を確認できる。乗客は背後にいる者の不審な行動を素早く認識できる状況になる。犯罪を企図する者に対して犯罪を抑圧する効果が得られる。通常利用者が抱く「背後が怖い」という不安感を払拭できる。
【００２６】
また、広角ミラー１９はかご操作盤１６の面一に埋め込まれているため、鏡面が室内へ向かって出っ張らず、人が触ったとしても凹凸を感じさせない。意匠的にかご１０に配置することができる。更に貫通穴１８によりスピーカ１５の音を透過させ、音声アナウンスの報知は支障なく実行される。既設のかご操作盤では、スピーカの相対する位置は穴付きのプレートが設けられているが、リニューアル工事によって、この穴付きのプレートを取り除き、空いた部分に広角ミラー１９を両面テープ３７によって容易に設置することができる。既設のエレベータのかご操作盤内の操作ボタン、動作制御基板等の部品要素の配置を変更せずに、広角ミラー１９を既設かご操作盤に組込みできる。
【００２７】
例えば建物の入居者は広角ミラー１９の存在を知っており、訪問者は広角ミラー１９の設置を知らない。訪問者の犯罪を抑止できる。本実施形態に係るエレベータの防犯装置によれば、かご操作盤１６周りの意匠性を高めることができ、例えばかご操作盤の操作中などにおいて利用者は自分の背後の様子を確認することが可能になる。
【００２８】
（変形例）
尚、本発明は上記実施形態そのままに限定されるものではなく、実施段階ではその要旨を逸脱しない範囲で構成要素を変形して具体化できる。
【００２９】
広角ミラー１９には、鏡面１７を開閉する扉、シャッター又はカバーを設けてもよい。広角ミラー１９は、マジックミラーやハーフミラーを用いてもよい。
【００３０】
また、広角ミラー１９にはミラーサイネージ（ミラーディスプレイ）が用いられてもよい。ミラーサイネージは、鏡像又は映像を切替え表示する。切替え表示は、かご１０内の動作制御基板１４によって実行される。広角ミラー１９は、建物案内や広告を、予め保持する映像データを再生して映像を映してもよい。広角ミラー１９をミラーサイネージと兼用することによって、例えば時間帯に応じて表示内容を変えることができる。かご１０は予め人検知センサを設け、動作制御基板１４が人検知センサの出力をモニタする。広角ミラー１９は、通常時は映像を映しておき、人がかご操作盤１６の前に立ったときに、人検知センサの信号によって、動作制御基板１４は鏡面１７を表示する。エレベータを広告に使うこともできるようになる。
【００３１】
また、広角ミラー１９の複数の貫通穴１８は鏡面１７の縁辺部に配置して形成されてもよい。広角ミラー１９は、鏡面１７上に保護フィルムを貼ってもよい。保護フィルムにより、広角ミラー１９の耐久性が増す。
【００３２】
広角ミラー１９はかご操作盤１６の配色に応じて着色されてもよい。広角ミラー１９は例えばかご１０の意匠に応じた色を施すことによって、室内の雰囲気に合うという組物の意匠的効果を生じさせることができる。広角ミラー１９はかご操作盤１６に施された意匠に応じて、例えば円形にするなど外形を替えてもよい。
【００３３】
図２、図３の動作制御基板１４等の３枚の回路基板の配置、枚数、寸法、フェイスプレート１２への取付け方法、取付け位置などは、例示であり種々変更可能である。図４、図５の貫通穴１８の位置、大きさ、数は種々変更される。これらの変更をして実施したに過ぎない実施品に対して実施の形態に係るエレベータの防犯装置の優位性は何ら損なわれるものではない。
【００３４】
広角ミラー１９の貼り付け位置は通常のＣＯＰだけでなく、左側板２３又は右側板２４にハンディキャップを持つ人のために設けられたＣＯＰに組み込んでもよい。
【００３５】
また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【００３６】
１０…かご、１１…プレート面、１２…フェイスプレート（プレート）、１３…操作ボタン、１４…動作制御基板、１５…スピーカ、１６…かご操作盤、１７…鏡面、１８…貫通穴、１９…広角ミラー。
【図１】
2017030901.tif 000004
【図２】
2017030901.tif 000005
【図３】
2017030901.tif 000006
【図４】
2017030901.tif 000007
【図５】
2017030901.tif 000008
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
かごと、
このかご内のプレート、このプレート上の操作ボタン、前記プレートの裏面側に設けられた動作制御基板および前記動作制御基板上のスピーカを有するかご操作盤と、
このかご操作盤に設けられ、鏡面および前記スピーカからの音抜き用の貫通穴を有する広角ミラーと、を備え、
この広角ミラーは前記かご操作盤の前方の乗客へこの乗客背後の前記かご内の広角鏡像を映すことを特徴とするエレベータの防犯装置。
【請求項２】
前記広角ミラーは、前記鏡面を開閉する扉、シャッター又はカバーを有することを特徴とする請求項１記載のエレベータの防犯装置。
【請求項３】
前記広角ミラーは、ハーフミラーであることを特徴とする請求項１記載のエレベータの防犯装置。
【請求項４】
前記広角ミラーは、鏡像又は予め保持する映像データの再生による映像を切替え表示するミラーディスプレイであることを特徴とする請求項１記載のエレベータの防犯装置。
【請求項５】
前記広角ミラーは矩形であり、前記貫通穴を前記鏡面の縁辺部に複数配置して形成したことを特徴とする請求項１記載のエレベータの防犯装置。
【請求項６】
前記広角ミラーは矩形であり、前記貫通穴を前記鏡面の中央に複数配置して形成し、前記鏡面の裏面側の上端部および下端部が両面テープによってそれぞれ前記かご操作盤に貼設されたことを特徴とする請求項１記載のエレベータの防犯装置。
【請求項７】
前記鏡面は前記プレートと面一であり、
前記広角ミラーの取付け高さは、かご床から１００〜１７０ｃｍであることを特徴とする請求項１記載のエレベータの防犯装置。
【請求項８】
前記広角ミラーは、前記鏡面に保護フィルムを設けたことを特徴とする請求項１記載のエレベータの防犯装置。
【請求項９】
前記広角ミラーは、前記かご操作盤の配色に応じて着色されたことを特徴とする請求項１記載のエレベータの防犯装置。
【請求項１０】
前記広角ミラーは、前記かご操作盤に施された意匠に応じた外形を有することを特徴とする請求項１記載のエレベータの防犯装置。
【請求項１１】
前記広角ミラーの取付高さは、日本人の成人女性の靴を履いていない状態における平均目線高さと同じ程度の高さであることを特徴とする請求項７記載のエレベータの防犯装置。
【手続補正２】
【補正対象書類名】明細書
【補正対象項目名】０００７
【補正方法】変更
【補正の内容】
【０００７】
このような課題を解決するため、本発明の一実施形態によれば、かごと、このかご内のプレート、このプレート上の操作ボタン、前記プレートの裏面側に設けられた動作制御基板および前記動作制御基板上のスピーカを有するかご操作盤と、このかご操作盤に設けられ、鏡面および前記スピーカからの音抜き用の貫通穴を有する広角ミラーと、を備え、この広角ミラーは前記かご操作盤の前方の乗客へこの乗客背後の前記室内の広角鏡像を映すことを特徴とするエレベータの防犯装置が提供される。
【手続補正３】
【補正対象書類名】明細書
【補正対象項目名】００２４
【補正方法】変更
【補正の内容】
【００２４】
そうして広角ミラー１９が取付けられたかご１０（図１）に成人女性の乗客が乗車すると、乗客はかご操作盤１６により行先階を選択する。かご１０の戸閉、走行、着床、戸開の際、広角ミラー１９は室内の様子を映し出す。乗客はかご操作盤１６の前方に立った状態で広角ミラー１９を見ることで、乗客背後の鏡像を確認することができる。乗客は広角ミラー１９により背後を振り返らずに、かご１０の室内全体の様子を確認することができる。利用者（特に女性）に安心感を与えることができる。仮に犯罪をしようとする者が女性の後を追ってかご１０に乗車しても、後から入った者自身の姿が女性に見られていることをこの者に対して明示的に意識させることができる。従って、本実施形態に係るエレベータの防犯装置によれば、犯罪の抑止効果を奏することができる。